(57)【要約】本発明は、小型空気清浄機に関し、空気が流入する空気流入口を備える外観ケース；前記空気流入口を通して流入する空気をフィルタリングするフィルタを備え、前記外観ケース内に交換可能に配置される交換型フィルタモジュール；前記交換型フィルタモジュール内に配置され、前記フィルタ上の細菌を殺菌させる多数の殺菌ＬＥＤを備えるフィルタガイドユニット；および、前記フィルタを通してフィルタリングされた空気が吐出される空気吐出口を備え、前記交換型フィルタモジュールの一側に着脱可能に結合されるモジュールキャップを含む。
2018532975.tif 000002
【特許請求の範囲】
【請求項１】
空気が流入する空気流入口を備える外観ケース；
前記空気流入口を通して流入する空気をフィルタリングするフィルタを備え、前記外観ケース内に交換可能に配置される交換型フィルタモジュール；
前記交換型フィルタモジュール内に配置されるフィルタガイドユニット；および
前記フィルタを通してフィルタリングされた空気が吐出される空気吐出口を備え、前記交換型フィルタモジュールに着脱可能に結合されるモジュールキャップを含むことを特徴とする、小型空気清浄機。
【請求項２】
前記交換型フィルタモジュールは、
前記フィルタが搭載されるように前記フィルタを支持するフィルタフレームをさらに含むことを特徴とする、請求項１に記載の小型空気清浄機。
【請求項３】
前記モジュールキャップと前記フィルタフレームには、相互間着脱可能に結合される着脱結合部が設けられることを特徴とする、請求項２に記載の小型空気清浄機。
【請求項４】
前記フィルタガイドユニットは、
ユニットベース；
前記ユニットベースに離隔配置され、前記空気吐出口側に空気を案内するファンモジュール；および
前記ユニットベースと前記ファンモジュールとの間に放射状に配列されるように設けられる多数の羽根フランジを含むことを特徴とする、請求項１に記載の小型空気清浄機。
【請求項５】
前記モジュールキャップに弾性的にアップ／ダウン（ｕｐ／ｄｏｗｎ）移動可能に結合されるボタン式ハンドルをさらに含むことを特徴とする、請求項１に記載の小型空気清浄機。
【請求項６】
前記ボタン式ハンドルの端部には、着脱式香水筒ケースが着脱可能に結合されることを特徴とする、請求項５に記載の小型空気清浄機。
【請求項７】
前記外観ケースは、
前記空気流入口が円周方向に沿って多数個形成される空気流入用バスケット；および
内部が空いた円筒状構造を有し、前記空気流入用バスケットに結合され、端部に少なくとも一つのスイッチが設けられるケースボディを含むことを特徴とする、請求項１に記載の小型空気清浄機。
【請求項８】
前記外観ケース内に設けられるブルートゥーススピーカーをさらに含むことを特徴とする、請求項１に記載の小型空気清浄機。
【請求項９】
前記ブルートゥーススピーカーは、前記フィルタガイドユニットの下部に配置されることを特徴とする、請求項８に記載の小型空気清浄機。
【請求項１０】
前記フィルタガイドユニットは、
多数の羽根フランジを備え、下部の一側に前記ブルートゥーススピーカーが結合されるユニットボディ；
前記ユニットボディ上に搭載され、前記フィルタ上の細菌を殺菌させるプラズマモジュール；
前記ユニットボディと連結され、前記空気吐出口側に空気を案内するファンモジュール；および
前記ファンモジュールに連結されて前記ファンモジュールを選択的に動作させ、前記モジュールキャップの通孔でアップ／ダウン（ｕｐ／ｄｏｗｎ）移動可能に配置されるボタン式ハンドルを含むことを特徴とする、請求項９に記載の小型空気清浄機。
【請求項１１】
前記フィルタガイドユニットは、
前記プラズマモジュールに隣り合うように配置される芳香剤筒をさらに含むことを特徴とする、請求項１０に記載の小型空気清浄機。
【請求項１２】
前記フィルタガイドユニットは、
前記ユニットボディの一側に設けられ、前記交換型フィルタモジュールの有無を感知するフィルタ感知部をさらに含むことを特徴とする、請求項１０に記載の小型空気清浄機。
【請求項１３】
前記外観ケースは、
多数の第１空気流入口が円周方向に沿って多数個形成される空気流入用外側バスケット；
前記多数の第１空気流入口と連通する多数の第２空気流入口が円周方向に沿って多数個形成され、前記空気流入用外側バスケット内に配置される空気流入用内側バスケット；および
内部が空いた円筒状構造を有し、前記空気流入用外側バスケットと着脱可能に結合されるケースボディを含むことを特徴とする、請求項８に記載の小型空気清浄機。
【請求項１４】
前記ケースボディと前記空気流入用外側バスケットには、相互間着脱可能に結合される第１着脱結合部が設けられることを特徴とする、請求項１３に記載の小型空気清浄機。
【請求項１５】
前記交換型フィルタモジュールは、前記フィルタが搭載されるように前記フィルタを支持するフィルタフレームを含み、
前記モジュールキャップと前記フィルタフレームには、相互間着脱可能に結合される第２着脱結合部が設けられることを特徴とする、請求項８に記載の小型空気清浄機。
【請求項１６】
前記ブルートゥーススピーカーは、
円筒状スピーカーボディ；
前記円筒状スピーカーボディの両端に結合され、ブルートゥース通信モジュールおよびアンプが備えられるスピーカーユニット；および
前記円筒状スピーカーボディの下端に配置され、内側で前記円筒状スピーカーボディと一箇所で連通し、前記円筒状スピーカーボディの長手方向に沿って配置される音ガイド管を含むことを特徴とする、請求項８に記載の小型空気清浄機。
【請求項１７】
前記交換型フィルタモジュールの半径方向外側に配置され、前記交換型フィルタモジュールを保護するモジュール保護および遮蔽ケースをさらに含む、請求項８に記載の小型空気清浄機。
【発明の詳細な説明】
【技術分野】
【０００１】
本発明は、小型空気清浄機に関し、より詳細には、外装の美を向上させるためのコンパクトな形状を有しながらも、空気清浄のための効率的な構造によって空気清浄の効率を向上させることができるだけでなく、従来の製品よりも容易にフィルタを交換できると共に、その交換周期も延長させることができる小型空気清浄機に関する。
【背景技術】
【０００２】
空気清浄機は、空気中の埃や細菌等をフィルタリングして空気をきれいにする装置の総称である。空気清浄機は、内蔵フィルタの種類によって多様である。
汚染された空気は、居住者の健康を害して生活の質を低下させ得るため、それを防止するために様々な形態の空気浄化製品、例えば、空気清浄機が使用されている。
空気清浄機の中には、空気清浄の機能だけを単独で搭載した製品もあり、エアコン等に一つの機能として追加された製品もある。
それだけではなく、空気清浄機は、そのサイズによって小型から大型に至るまで様々であると知られている。
一方、空気清浄機は、先に記述したように、空気中の埃や細菌等をフィルタリングする主な機能を担当するため、フィルタの掃除、特にフィルタ交換が最も重要であると知られている。
大型空気清浄機の場合は、内部空間が広いため、例えば、エアコンのように前面フロントケース（ｆｒｏｎｔ  ｃａｓｅ）を開放し、フィルタを交換するための構造の具現が十分に可能であるが、小型の場合は、空間的な限界によってフィルタ交換等の構造具現が容易ではない。
たとえフィルタの交換が容易であるとしても、その交換周期が早すぎると、使用上の不便さが生じ得る。
結果として、小型空気清浄機の場合、製品の特性上、外装の美を向上させるためのコンパクトな形状を有しながらも、空気清浄のための効率的な構造を有しなければならず、特に、容易にフィルタを交換可能でありながらも、その交換周期を延ばせるようにする構造が追加されるべきであるが、未だこのような事項を満たすだけの小型空気清浄機が開示されてはいないという点で、このような事項を備えた小型空気清浄機への必要性が浮上している。
さらに、本願出願人は、このような空気清浄機に仮にスピーカーの機能が内蔵されることさえできれば、空気清浄という本然の機能の他にもスピーカーの機能をマルチで提供でき、機能性を拡張させることができると予想されるので、これに対する技術開発を進行するに至った。
【発明の概要】
【発明が解決しようとする課題】
【０００３】
本発明の目的は、外装の美を向上させるためのコンパクトな形状を有しながらも、空気清浄のための効率的な構造によって空気清浄の効率を向上させることができるだけでなく、従来の製品よりも容易にフィルタを交換できると共に、その交換周期も延長させることができる小型空気清浄機を提供することである。
さらに、本発明の目的は、ブルートゥーススピーカーが内蔵されており、機能性を拡張させることができる小型空気清浄機を提供することである。
【課題を解決するための手段】
【０００４】
前記目的は、空気が流入する空気流入口を備える外観ケース；前記空気流入口を通して流入する空気をフィルタリングするフィルタを備え、前記外観ケース内に交換可能に配置される交換型フィルタモジュール；前記交換型フィルタモジュール内に配置され、前記フィルタ上の細菌を殺菌させる多数の殺菌ＬＥＤを備えるフィルタガイドユニット；および、前記フィルタを通してフィルタリングされた空気が吐出される空気吐出口を備え、前記交換型フィルタモジュールの一側に着脱可能に結合されるモジュールキャップを含むことを特徴とする小型空気清浄機により達成される。
前記交換型フィルタモジュールは、前記フィルタが搭載されるように前記フィルタを支持するフィルタフレームをさらに含むことができる。
前記モジュールキャップと前記フィルタフレームには、相互間着脱可能に結合される着脱結合部が設けられ得る。
前記フィルタガイドユニットは、ユニットベース；前記ユニットベースに離隔配置され、前記空気吐出口側に空気を案内するファンモジュール；および、前記ユニットベースと前記ファンモジュールとの間に放射状に配列され、前記多数の殺菌ＬＥＤが設けられる多数の羽根フランジを含むことができる。
前記モジュールキャップに弾性的にアップ／ダウン（ｕｐ／ｄｏｗｎ）移動可能に結合されるボタン式ハンドルをさらに含むことができる。
前記ボタン式ハンドルの端部には、着脱式香水筒ケースが着脱可能に結合され得る。
前記外観ケースは、前記空気流入口が円周方向に沿って多数個形成される空気流入用バスケット；および、内部が空いた円筒状構造を有し、前記空気流入用バスケットに結合され、端部に少なくとも一つのスイッチが設けられるケースボディを含むことができる。
前記外観ケース内に設けられるブルートゥーススピーカーをさらに含むことができる。
前記ブルートゥーススピーカーは、前記フィルタガイドユニットの下部に配置され得る。
前記フィルタガイドユニットは、多数の羽根フランジを備え、下部の一側に前記ブルートゥーススピーカーが結合されるユニットボディ；前記ユニットボディ上に搭載され、前記フィルタ上の細菌を殺菌させるプラズマモジュール；前記ユニットボディと連結され、前記空気吐出口側に空気を案内するファンモジュール；および、前記ファンモジュールに連結されて前記ファンモジュールを選択的に動作させ、前記モジュールキャップの通孔でアップ／ダウン（ｕｐ／ｄｏｗｎ）移動可能に配置されるボタン式ハンドルを含むことができる。
前記フィルタガイドユニットは、前記プラズマモジュールに隣り合うように配置される芳香剤筒をさらに含むことができる。
前記フィルタガイドユニットは、前記ユニットボディの一側に設けられ、前記交換型フィルタモジュールの有無を感知するフィルタ感知部をさらに含むことができる。
前記外観ケースは、多数の第１空気流入口が円周方向に沿って多数個形成される空気流入用外側バスケット；前記多数の第１空気流入口と連通する多数の第２空気流入口が円周方向に沿って多数個形成され、前記空気流入用外側バスケット内に配置される空気流入用内側バスケット；および、内部が空いた円筒状構造を有し、前記空気流入用外側バスケットと着脱可能に結合されるケースボディを含むことができる。
前記ケースボディと前記空気流入用外側バスケットには、相互間着脱可能に結合される第１着脱結合部が設けられ得る。
前記交換型フィルタモジュールは、前記フィルタが搭載されるように前記フィルタを支持するフィルタフレームを含み、前記モジュールキャップと前記フィルタフレームには、相互間着脱可能に結合される第２着脱結合部が設けられ得る。
前記ブルートゥーススピーカーは、円筒状スピーカーボディ；前記円筒状スピーカーボディの両端に結合され、ブルートゥース通信モジュールおよびアンプが備えられるスピーカーユニット；および、前記円筒状スピーカーボディの下端に配置され、内側で前記円筒状スピーカーボディと一箇所で連通し、前記円筒状スピーカーボディの長手方向に沿って配置される音ガイド管を含むことができる。
前記交換型フィルタモジュールの半径方向外側に配置され、前記交換型フィルタモジュールを保護するモジュール保護および遮蔽ケースをさらに含むことができる。
【発明の効果】
【０００５】
本発明によれば、外装の美を向上させるためのコンパクトな形状を有しながらも、空気清浄のための効率的な構造によって空気清浄の効率を向上させることができるだけでなく、従来の製品よりも容易にフィルタを交換できると共に、その交換周期も延長させることができる小型空気清浄機が提供される。
さらに、本発明によれば、ブルートゥーススピーカーが内蔵されており、機能性を拡張させることができる小型空気清浄機が提供される。
【図面の簡単な説明】
【０００６】
【図１】本発明の一実施例に小型空気清浄機の斜視図であってボタン式ハンドルがダウン（ｄｏｗｎ）された状態の図、
【図２】ボタン式ハンドルがアップ（ｕｐ）された状態の図、
【図３】図１の分解斜視図、
【図４】図３の背面斜視図、
【図５】本発明の他の実施例に小型空気清浄機でフィルタガイドユニットとモジュールキャップの分解斜視図、
【図６】図５の背面斜視図、
【図７】本発明の第３実施例に小型空気清浄機の斜視図、
【図８】それぞれ図７から外観構成を一つずつ除いた状態の図、
【図９】それぞれ図７から外観構成を一つずつ除いた状態の図、
【図１０】それぞれ図７から外観構成を一つずつ除いた状態の図、
【図１１】それぞれ図７から外観構成を一つずつ除いた状態の図、
【図１２】図７の分解斜視図、
【図１３】外観ケースの分解斜視図、
【図１４ａ】フィルタガイドユニットの斜視図、
【図１４ｂ】図１４ａに示されたブルートゥーススピーカーの断面斜視図、
【図１５】図１４ａの分解斜視図、
【図１６】ユニットボディ領域の側面図である。
【発明を実施するための形態】
【０００７】
以下、添付の図面を参照して、本発明の好ましい実施例を説明する。
図１は、本発明の一実施例に小型空気清浄機の斜視図であってボタン式ハンドルがダウン（ｄｏｗｎ）された状態の図、図２は、ボタン式ハンドルがアップ（ｕｐ）された状態の図、図３は、図１の分解斜視図、そして、図４は、図３の背面斜視図である。
これらの図面を参照すると、本実施例に係る小型空気清浄機１００は、外装の美を向上させるためのコンパクトな形状を有しながらも、空気清浄のための効率的な構造によって空気清浄の効率を向上させることができ、特に、従来の製品よりも容易にフィルタ１５０を交換できながらも、その交換周期を延ばせるようにしたものであって、外観ケース１１０、交換型フィルタモジュール１４０、フィルタガイドユニット１７０、そして、モジュールキャップ１８０を含むことができる。
先ず、外観ケース１１０は、図１および図２のように、本実施例に係る小型空気清浄機１００の外観をなす。
本実施例において、外観ケース１１０は、全般的に円筒状の形状を有する。従って、外装の美を向上させるためのコンパクトな形状を有するに十分である。また、円滑な空気の流れを誘導するにも良い。
このような外観ケース１１０は、空気流入用バスケット１２０と、ケースボディ１３０を含む。
空気流入用バスケット１２０とケースボディ１３０は、一体に形成されてもよいが、分離型として相互結合される形態を有してもよい。
空気流入用バスケット１２０は、本実施例に係る小型空気清浄機１００の最下端部をなす。空気流入用バスケット１２０には、空気が流入する空気流入口１２１が形成される。
空気流入口１２１は、空気流入用バスケット１２０の円周方向に沿って多数個が等角度間隔を持ってスロット形態に配列される。従って、様々な方向の空気を内部に流入させることに効果が良い。
ケースボディ１３０は、先に記述したように、内部が空いた円筒状構造を有し、空気流入用バスケット１２０に結合される。分離型に形成される場合、結合方式は、ねじ方式、フック方式、圧入方式等、いかなるものであっても構わない。
ケースボディ１３０の上端部の一側には、電源オンオフまたはタイマ設定、殺菌ＬＥＤ１７５等の動作のための多数のスイッチ１３１が設けられる。
例えば、多数のスイッチ１３１のいずれか一つを押圧すると、殺菌ＬＥＤ１７５が動作され得る。
次に、交換型フィルタモジュール１４０は、外観ケース１１０内に交換可能に配置されるモジュールであって、外観ケース１１０の空気流入口１２１を通して内部に流入する空気をフィルタリングする。
このような交換型フィルタモジュール１４０は、空気流入口１２１を通して流入する空気をフィルタリングするフィルタ１５０と、フィルタ１５０が搭載されるようにフィルタ１５０を支持するフィルタフレーム１６０を含むことができる。
フィルタ１５０は、フィルタフレーム１６０の外側に嵌められる形態で結合され得る。従って、図３のように装置を分離した後、フィルタ１５０を交換することが容易である。
次に、フィルタガイドユニット１７０は、交換型フィルタモジュール１４０内に配置され、フィルタ１５０上の細菌を殺菌させる役割を果たす。このために、フィルタガイドユニット１７０は、多数の殺菌ＬＥＤ１７５を備える。
このようなフィルタガイドユニット１７０は、ユニットベース１７１と、ユニットベース１７１に離隔配置され、モジュールキャップ１８０の空気吐出口１８１側に空気を案内するファンモジュール１７２と、ユニットベース１７１とファンモジュール１７２との間に放射状に配列され、多数の殺菌ＬＥＤ１７５が設けられる多数の羽根フランジ１７３とを含む。
多数の殺菌ＬＥＤ１７５は、多数の羽根フランジ１７３上に多数個ずつ設けられるため、フィルタ１５０に向かって人体に無害な光線を発光することによりフィルタ１５０上の細菌を殺菌させることが容易である。
本実施例の場合、交換型フィルタモジュール１４０内に配置されるフィルタガイドユニット１７０に殺菌ＬＥＤ１７５が配置され、このような殺菌ＬＥＤ１７５がフィルタ１５０上の細菌を殺菌させるため、フィルタ１５０の寿命および交換周期を延ばすことができる。
また選択的に、フィルタガイドユニット１７０が回転する構造を採用することもできるが、この場合であれば、フィルタ１５０の殺菌効率をさらに倍加させることができる。
最後に、モジュールキャップ１８０は、交換型フィルタモジュール１４０のフィルタフレーム１６０に着脱可能に結合される部材である。
このようなモジュールキャップ１８０には、フィルタ１５０を通してフィルタリングされた空気が吐出される空気吐出口１８１が形成される。
そして、モジュールキャップ１８０の中央領域には、弾性的にアップ／ダウン（ｕｐ／ｄｏｗｎ）移動可能にボタン式ハンドル１８５が結合される。
詳細に図示してはいないが、ボタン式ハンドル１８５には、ばねが内蔵されているため、１回押圧すると、図１のようにダウン（ｄｏｗｎ）された状態になり、また１回さらに押圧すると、図２のようにアップ（ｕｐ）された状態になり得る。
そして、図２のように、ボタン式ハンドル１８５がアップ（ｕｐ）された場合は、外観ケース１１０から交換型フィルタモジュール１４０、フィルタガイドユニット１７０等の構造を分離させるためのハンドルの役割を果たすことができる。
このように、ボタン式ハンドル１８５がハンドルの役割を果たすために、ボタン式ハンドル１８５の側部には、把持が容易であるようにした把持溝１８５ａが形成される。把持溝１８５ａは、ボタン式ハンドル１８５の両側に対称となるように設けられ得る。
一方、図２のように、ボタン式ハンドル１８５をアップ（ｕｐ）させて外観ケース１１０から交換型フィルタモジュール１４０、フィルタガイドユニット１７０等の構造を持ち上げるためには、モジュールキャップ１８０と交換型フィルタモジュール１４０が連結されなければならない。
このために、モジュールキャップ１８０とフィルタフレーム１６０には、相互間着脱可能に結合される着脱結合部１９０が設けられる。
着脱結合部１９０は、ねじ方式やフック方式等、多様に適用され得るが、本実施例においては、モジュールキャップ１８０の周りに設けられる着脱式突起１９１と、フィルタフレーム１６０の周りに設けられ、モジュールキャップ１８０の着脱式突起１９１が選択的に結合される突起収容部１９２とを備える着脱結合部１９０を適用している。
そこで、モジュールキャップ１８０をフィルタフレーム１６０に当てて一方向に回転させると、着脱式突起１９１が突起収容部１９２に嵌められることでモジュールキャップ１８０とフィルタフレーム１６０が一つのボディ体で連結され得、逆の場合、分離され得る。
このような構成を有する小型空気清浄機１００の作用を説明すれば、次のとおりである。
先ず、装置を組み立てた後、ケースボディ１３０の上端部の一側に設けられる多数のスイッチ１３１のうち一つを動作させて装置をオン（ｏｎ）させる。
この状態で外観ケース１１０の空気流入口１２１を通して流入する空気は、フィルタ１５０を通してフィルタリングされた後、モジュールキャップ１８０の空気吐出口１８１を通して外部に吐出され得る。
このとき、殺菌ＬＥＤ１７５がフィルタ１５０上の細菌を殺菌させるため、フィルタ１５０の寿命および交換周期を延ばすことができる。
以上、説明したような構造と作用を有する本実施例の小型空気清浄機１００によれば、外装の美を向上させるためのコンパクトな形状を有しながらも、空気清浄のための効率的な構造によって空気清浄の効率を向上させることができ、特に、従来の製品よりも容易にフィルタ１５０を交換できながらも、その交換周期を延ばせるようになる。
図５は、本発明の他の実施例に係る小型空気清浄機でフィルタガイドユニットとモジュールキャップの分解斜視図であり、図６は、図５の背面斜視図である。
これらの図面を参照すると、本実施例に係る小型空気清浄機もまた、フィルタガイドユニット２７０と、モジュールキャップ２８０とを含むことができる。
先ず、フィルタガイドユニット２７０は、ユニットベース２７１と、ユニットベース２７１に離隔配置され、モジュールキャップ２８０の空気吐出口２８１側に空気を案内するファンモジュール２７２と、ユニットベース２７１とファンモジュール２７２との間に放射状に配列され、多数の殺菌ＬＥＤ２７５が設けられる多数の羽根フランジ２７３とを含むことができる。
本実施例の場合、ファンモジュール２７２の形状と構造が前述の実施例とは異なるように設けられる。即ち、本実施例において、ファンモジュール２７２は、前述の実施例のように単純なリング形状ではなく二重リングの構造であって、上部が下部より幅の狭い形状を有する。このような構造は、後述する着脱式香り筒ケース２９０を通して発散する香りをガイドして送風させることに有利であり得る。
次に、モジュールキャップ２８０には、フィルタ２５０を通してフィルタリングされた空気が吐出される空気吐出口２８１が形成され、モジュールキャップ２８０の中央領域には、弾性的にアップ／ダウン（ｕｐ／ｄｏｗｎ）移動可能にボタン式ハンドル２８５が結合されるが、このような事項は、前述の実施例と変わらない。
ただし、本実施例の場合、ボタン式ハンドル２８５の端部領域には、着脱式香水筒ケース２９０が結合される。着脱式香水筒ケース２９０には、芳香剤等を収容できるように構成される。
そこで、着脱式香水筒ケース２９０を正方向に回せば、ボタン式ハンドル２８５の端部領域に結合され、着脱式香水筒ケース２９０を逆方向に回せば、ボタン式ハンドル２８５の端部領域から分離され得るが、香水筒ケース２９０を分離した状態で芳香剤等を入れてしめれば、空気清浄機能だけでなく、香り発生機能も付加され得る。特に、着脱式香水筒ケース２９０により交換が容易になり得る。
本実施例が適用されても、外装の美を向上させるためのコンパクトな形状を有しながらも、空気清浄のための効率的な構造によって空気清浄の効率を向上させることができ、特に、従来の製品よりも容易にフィルタ１５０を交換できながらも、その交換周期を延ばすことができる。
図７乃至図１６は、本発明の第３実施例に係る小型空気清浄機を示した図であって、図７は、本発明の第３実施例に小型空気清浄機の斜視図、図８乃至図１１は、それぞれ図７から外観構成を一つずつ除いた状態の図、図１２は、図７の分解斜視図、図１３は、外観ケースの分解斜視図、図１４ａは、フィルタガイドユニットの斜視図、図１４ｂは、図１４ａに示されたブルートゥーススピーカーの断面斜視図、図１５は、図１４ａの分解斜視図、図１６は、ユニットボディ領域の側面図である。
これらの図面を参照すると、本発明の第３実施例に係る小型空気清浄機３００は、効率的な構造によって空気清浄の効率を向上させることができることはもちろん、フィルタの交換が容易になり得、最もブルートゥーススピーカー３７７が内蔵されており、機能性を拡張させることができるようにしたものであって、外観ケース３１０、交換型フィルタモジュール３４０、モジュール保護および遮蔽ケース３６５ａ、３６５ｂ、フィルタガイドユニット３７０、モジュールキャップ３８０、そして、ブルートゥーススピーカー３７７を含むことができる。
先ず、外観ケース３１０は、前述の実施例と同様に、本実施例に係る小型空気清浄機３００の外観をなす。
本実施例において、外観ケース３１０は、空気流入用外側バスケット３２１、空気流入用内側バスケット３２２、そして、ケースボディ３３０を含むことができる。
空気流入用外側バスケット３２１は、本実施例に係る小型空気清浄機３００の最下端部をなす。空気流入用外側バスケット３２１には、空気が流入する第１空気流入口３２１ａが形成される。
第１空気流入口３２１ａは、空気流入用外側バスケット３２１の円周方向に沿って多数個が等角度間隔を持ってスロット形態に配列される。従って、様々な方向の空気を内部に流入させることに効果が良い。
空気流入用内側バスケット３２２は、空気流入用外側バスケット３２１内に配置される網形態の構造物である。空気流入用内側バスケット３２２は、空気流入用外側バスケット３２１と類似した形態を有する。即ち、空気流入用内側バスケット３２２には、空気流入用外側バスケット３２１の第１空気流入口３２１ａと連通する多数の第２空気流入口３２２ａが円周方向に沿って多数個形成される。従って、外部空気は、第１空気流入口３２１ａおよび第２空気流入口３２２ａを通して装置の内部に引き込まれ得る。
本実施例においては、空気流入用外側バスケット３２１および空気流入用内側バスケット３２２が別に分離されるように形成されているが、一体に形成されることも構わない。
ケースボディ３３０は、内部が空いた円筒状構造を有し、空気流入用外側バスケット３２１と着脱可能に結合される部分である。
即ち、本実施例において、ケースボディ３３０は、内部が空いた円筒状構造を有し、空気流入用外側バスケット３２１に結合される。
ケースボディ３３０と空気流入用外側バスケット３２１が着脱可能に結合され得るように、ケースボディ３３０と空気流入用外側バスケット３２１には、相互間着脱可能に結合される第１着脱結合部３９１が設けられる。
第１着脱結合部３９１は、ねじ結合方式やフック結合方式等、多様に適用され得るが、本実施例においては、図１３に示されたように、ケースボディ３３０の周りに設けられる第１着脱式突起３９１ａと、空気流入用外側バスケット３２１の周りに設けられ、ケースボディ３３０の第１着脱式突起３９１ａが選択的に結合される第１突起収容部３９１ｂとを備えるフック結合方式を適用している。もちろん、逆の構造、即ち、ケースボディ３３０に第１突起収容部３９１ｂが、空気流入用外側バスケット３２１に第１着脱式突起３９１ａが設けられてもよい。
そこで、ケースボディ３３０を空気流入用外側バスケット３２１に当てて一方向に回転させると、第１着脱式突起３９１ａが第１突起収容部３９１ｂに嵌められることでケースボディ３３０と空気流入用外側バスケット３２１が一つのボディ体で連結され得、逆の場合、分離され得る。
ケースボディ３３０の上端部の一側には、電源オンオフやタイマ設定等のための多数のスイッチ３３１が嵌められ、外部に露出するためのスイッチホール３３０ａが形成される。
次に、交換型フィルタモジュール３４０は、外観ケース３１０内に交換可能に配置されるモジュールであって、外観ケース３１０の第１および第２空気流入口３２１ａ、３２２ａを通して内部に流入する空気をフィルタリングする。
このような交換型フィルタモジュール３４０は、第１および第２空気流入口３２１ａ、３２２ａを通して流入する空気をフィルタリングするフィルタ３５０と、フィルタ３５０が搭載されるようにフィルタ３５０を支持するフィルタフレーム３６０を含むことができる。
フィルタ３５０は、フィルタフレーム３６０の外側に嵌められる形態で結合され得る。従って、フィルタ３５０を交換することが容易である。
次に、モジュール保護および遮蔽ケース３６５ａ、３６５ｂは、交換型フィルタモジュール３４０を保護しながら内側を遮蔽する役割を果たす。従って、交換型フィルタモジュール３４０を除去するために、ケースボディ３３０を除去し、交換型フィルタモジュール３４０を引き出した状態でも、内側が網構造のモジュール保護および遮蔽ケース３６５ａ、３６５ににより適当に遮蔽され得るようになる。このようなモジュール保護および遮蔽ケース３６５ａ、３６５ｂは、交換型フィルタモジュール３４０の半径方向外側に配置される。
本実施例において、モジュール保護および遮蔽ケース３６５ａ、３６５ｂは、分割された一対で配置され、該当位置で組み立てられる形態で設けられ得るが、このような構造に限定されるものではない。モジュール保護および遮蔽ケース３６５ａ、３６５ｂには、多数の通気孔Ｈが形成される。
次に、フィルタガイドユニット３７０は、上部にファンモジュール３７４が備えられ、交換型フィルタモジュール３４０内に配置されて交換型フィルタモジュール３４０の引き込み、引き出しをガイドする役割を果たす。
このようなフィルタガイドユニット３７０は、ユニットボディ３７１、プラズマモジュール３７３、芳香剤筒３７６、ファンモジュール３７４、そして、ボタン式ハンドル３７５を含むことができる。
ユニットボディ３７１は、フィルタガイドユニット３７０の外観をなす部分である。ユニットボディ３７１には、多数の羽根フランジ３７２が結合される。
プラズマモジュール３７３は、ユニットボディ３７１上に搭載され、プラズマを生成してフィルタ３５０上の細菌を殺菌させる役割を果たす。
本実施例のように、交換型フィルタモジュール３４０内に配置されるフィルタガイドユニット３７０にプラズマモジュール３７３が配置され、このようなプラズマモジュール３７３がフィルタ３５０上の細菌を殺菌させるため、フィルタ３５０の寿命および交換周期を延ばすことができる。
芳香剤筒３７６は、プラズマモジュール３７３に隣り合うように配置される。芳香剤筒３７６から芳香剤が外部に拡散し得るので、空気清浄の効果の他にも香ばしい香りを提供できる。
ファンモジュール３７４は、空気を吸入してモジュールキャップ３８０の空気吐出口３８１側に空気を案内する役割を果たす。
ボタン式ハンドル３７５は、ファンモジュール３７４に連結されてファンモジュール３７４を選択的に動作させ、モジュールキャップ３８０の通孔３８２でアップ／ダウン（ｕｐ／ｄｏｗｎ）移動可能に配置される一種のスイッチである。ボタン式ハンドル３７５を押圧すると、ファンモジュール３７４が動作し、逆の場合、ファンモジュール３７４の作動が停止し得る。
一方、本実施例に係るフィルタガイドユニット３７０には、フィルタ感知部３７８がさらに設けられる。
フィルタ感知部３７８は、フィルタガイドユニット３７０をなすユニットボディ３７１の一側に設けられ得、交換型フィルタモジュール３４０が引き込まれたか否かを感知する役割を果たす。交換型フィルタモジュール３４０が定位置にない場合、その信号を外部に知らせるか、または装置の動作が進行されないようにするコントロール信号を提供できる。
次に、モジュールキャップ３８０は、交換型フィルタモジュール３４０のフィルタフレーム３６０に着脱可能に結合される部材である。
このようなモジュールキャップ３８０には、フィルタ３５０を通してフィルタリングされた空気が吐出される空気吐出口３８１が形成される。
モジュールキャップ３８０とフィルタフレーム３６０が着脱可能に結合されるために、モジュールキャップ３８０とフィルタフレーム３６０には、相互間着脱可能に結合される第２着脱結合部３９２が設けられる。
第２着脱結合部３９２は、ねじ結合方式やフック結合方式等、多様に適用され得るが、本実施例においては、モジュールキャップ３８０の周りに設けられる第２着脱式突起３９２ａと、フィルタフレーム３６０の周りに設けられ、モジュールキャップ３８０の第２着脱式突起３９２ａが選択的に結合される第２突起収容部３９２ｂとを備えるフック結合方式を適用している。もちろん、逆の構造、即ち、モジュールキャップ３８０に第２突起収容部３９２ｂが、フィルタフレーム３６０に第２着脱式突起３９２ａが設けられてもよい。本実施例においては、下部に位置するフィルタフレーム３６０にも第２突起収容部３９２ｂが備えられており、交換型フィルタモジュール３４０をひっくり返してモジュールキャップ３８０に結合する場合にも同じ構造で着脱結合され得るようになり、使用者の便宜性を向上させている。
そこで、モジュールキャップ３８０をフィルタフレーム３６０に当てて一方向に回転させると、第２着脱式突起３９２ａが第２突起収容部３９２ｂに嵌められることでモジュールキャップ３８０とフィルタフレーム３６０が一つのボディ体で連結され得、逆の場合、分離され得る。
最後に、ブルートゥーススピーカー３７７は、外観ケース３１０内でフィルタガイドユニット３７０に結合される。特に、ブルートゥーススピーカー３７７は、ユニットボディ３７１の下部に結合され得る。
ブルートゥーススピーカー３７７は、図１４ｂに示された構造で形成され得る。円筒状スピーカーボディ３７７ａの両端には、スピーカーユニット３７７ｂが結合される。スピーカーユニット３７７ｂには、ブルートゥース通信モジュール（図示しない）およびアンプ（図示しない）が備えられる。円筒状スピーカーボディ３７７ａの下端には、内側で円筒状スピーカーボディ３７７ａと一箇所で連通部３７７ｄを通して連通し、円筒状スピーカーボディ３７７ａの長手方向に沿って配置される音ガイド管３７７ｃがさらに備えられ得る。音ガイド管３７７ｃの一端は閉鎖され、他端は開放された構造を有する。
このように、ブルートゥーススピーカー３７７の構造は、両端のスピーカーユニット３７７ｂで発生した音の一部を円筒状スピーカーボディ３７７ａの内側で集めて音ガイド管３７７ｃを通して一側方向に一度に吐出させることで、音の音量を上げながら、さらにソフトで響きを持つ音質を形成できるようになる。
本実施例のように、ブルートゥーススピーカー３７７が適用される場合、空気清浄という本然の機能の他にも、外部でスマートフォン等の電子機器とブルートゥーススピーカー３７７を簡便に連結して音楽聴取も可能であるため、機能性を拡張させることができる利点がある。
このような構成を有する本発明の第３実施例に係る小型空気清浄機３００の作用を説明すれば、次のとおりである。
先ず、装置を組み立てた後、ケースボディ３３０の上端部の一側に配置される多数のスイッチ３３１のうち一つを動作させて電源をオン（ｏｎ）させる。
その後、ボタン式ハンドル３７５をダウン（ｄｏｗｎ）させると、フィルタガイドユニット３７０のファンモジュール３７４が作動すれば、外観ケース３１０の第１および第２空気流入口３２１ａ、３２２ａを通して空気が流入し、流入する空気は、フィルタ３５０を通してフィルタリングされた後、モジュールキャップ３８０の空気吐出口３８１を通して外部に吐出され得る。
このとき、プラズマモジュール３７３がフィルタ３５０上の細菌を殺菌させるため、フィルタ３５０の寿命および交換周期を延ばすことができる。
また、フィルタ３５０を交換する必要がある場合、ケースボディ３３０を分離した後、モジュールキャップ３８０を分離してから、交換型フィルタモジュール３４０を取り出して、フィルタ３５０を交換した後、また挿入すれば、簡単にフィルタ３５０を交換できるようになる。このとき、モジュール保護および遮蔽ケース３６５ａ、３６５ｂにより内側が適宜遮蔽され得る。
一方、このような作動中にブルートゥーススピーカー３７７が使用したい場合、ブルートゥーススピーカー３７７をオーディオ機器や、あるいはスマートフォンと無線で連結して音楽を聴取すればよい。
以上、説明したような構造と作用を有する本実施例の小型空気清浄機３００によれば、効率的な構造によって空気清浄の効率を向上させることができることはもちろん、フィルタの交換が容易になり得、最もブルートゥーススピーカー３７７が内蔵されており、機能性を拡張させることができるようになる。
このように、本発明は、記載された実施例に限定されるものではなく、本発明の思想および範囲を外れずに多様に修正および変形できることは、この技術の分野における通常の知識を有する者にとって自明である。従って、そのような修正例または変形例は、本発明の請求の範囲に属するというべきである。
【符号の説明】
【０００８】
１００：小型空気清浄機      １１０：外観ケース
１２０：空気流入用バスケット      １２１：空気流入口
１３０：ケースボディ      １３１：スイッチ
１４０：交換型フィルタモジュール      １５０：フィルタ
１６０：フィルタフレーム      １７０：フィルタガイドユニット
１７１：ユニットベース      １７２：ファンモジュール
１７３：羽根フランジ      １７５：殺菌ＬＥＤ
１８０：モジュールキャップ      １８１：空気吐出口
１８５：ボタン式ハンドル      １９０：着脱結合部
１９１：着脱式突起      １９２：突起収容部
３００：小型空気清浄機      ３１０：外観ケース
３２１：空気流入用外側バスケット      ３２１ａ：第１空気流入口
３２２：空気流入用内側バスケット      ３２２ａ：第２空気流入口
３３０：ケースボディ      ３３０ａ：スイッチホール
３３１：スイッチ      ３４０：交換型フィルタモジュール
３５０：フィルタ      ３６０：フィルタフレーム
３６５ａ、３６５ｂ：モジュール保護および遮蔽ケース      ３７０：フィルタガイドユニット
３７１：ユニットボディ      ３７２：羽根フランジ
３７３：プラズマモジュール      ３７４：ファンモジュール
３７５：ボタン式ハンドル      ３７６：芳香剤筒
３７７：ブルートゥーススピーカー      ３７８：フィルタ感知部
３８０：モジュールキャップ      ３８１：空気吐出口
３８２：通孔      ３９１：第１着脱結合部
３９１ａ：第１着脱式突起      ３９１ｂ：第１突起収容部
３９２：第２着脱結合部      ３９２ａ：第２着脱式突起
【図１】
2018532975.tif 000003
【図２】
2018532975.tif 000004
【図３】
2018532975.tif 000005
【図４】
2018532975.tif 000006
【図５】
2018532975.tif 000007
【図６】
2018532975.tif 000008
【図７】
2018532975.tif 000009
【図８】
2018532975.tif 000010
【図９】
2018532975.tif 000011
【図１０】
2018532975.tif 000012
【図１１】
2018532975.tif 000013
【図１２】
2018532975.tif 000014
【図１３】
2018532975.tif 000015
【図１４ａ】
2018532975.tif 000016
【図１４ｂ】
2018532975.tif 000017
【図１５】
2018532975.tif 000018
【図１６】
2018532975.tif 000019
【国際調査報告】
2018532975.tif 000020
2018532975.tif 000021
2018532975.tif 000022
2018532975.tif 000023